(57)【要約】【課題】灯室内の対流を十分行って結露によるレンズの曇りを抑制することができる車両用灯具を提供すること。【解決手段】ハウジング２とその開口部を覆うレンズ３によって画成される灯室４内に少なくともバルブ（光源）５とリフレクタ６及びエクステンション７を収容して成るヘッドランプ（車両用灯具）１において、前記灯室内４の車両下側部分に、前記レンズ３と前記エクステンション７及び前記ハウジング２と前記リフレクタ６との間に互いに連通する通路９，１０を車両前後方向に形成する。又、前記通路１０の一部に狭小部を設ける。【選択図】図１
2012155878.tif 000002
【特許請求の範囲】
【請求項１】
ハウジングとその開口部を覆うレンズによって画成される灯室内に少なくとも光源とリフレクタ及びエクステンションを収容して成る車両用灯具において、
前記レンズと前記エクステンションとの間に形成された第１の通路と、
前記リフレクタと前記ハウジングとの間に形成された第２の通路と、
を備え、
前記第１の通路には、前記エクステンションの切欠きによる開口部を形成し、
前記第１の通路と前記第２の通路を車両前後方向に互いに連通して形成したことを特徴とする車両用灯具。
【請求項２】
前記通路の一部に狭小部を設けたことを特徴とする請求項１記載の車両用灯具。
【発明の詳細な説明】
【技術分野】
【０００１】
本発明は、防曇対策を施したヘッドランプ等の車両用灯具に関するものである。
【背景技術】
【０００２】
車両用灯具の一例としてヘッドランプの構成の一例を図２に示すが、図示のヘッドランプ１０１は、ハウジング１０２とその開口部を覆うレンズ１０３によって画成される灯室１０４内に光源であるバルブ１０５とリフレクタ１０６及びエクステンション１０７を収容して構成されている。
【０００３】
斯かるヘッドランプ１０１において、灯室１０４は略密閉された空間を形成するため、消灯後に灯室１０４内の温度が低下すると灯室１０４内の空気が冷やされ、該空気に含まれる湿気が飽和水蒸気となってレンズ１０３の内面に結露を生じさせるため、レンズ１０３に曇りが発生する可能性があった。
【０００４】
又、特許文献１には、レンズの防曇対策として、エクステンションの外周縁部の少なくとも車両上方側部分とレンズとの隙間をシール剤でシールする構成が提案されている。
【先行技術文献】
【特許文献】
【０００５】
【特許文献１】特開２００９−１９３８０６号公報
【発明の概要】
【発明が解決しようとする課題】
【０００６】
しかしながら、図２に示す従来のヘッドランプ１０１にあっては、灯室１０４内の車両下側部分においてエクステンション１０７がレンズ１０３の内面に沿って形成されるとともに、リフレクタ１０６の前端周縁がハウジング１０２の内面に近接しているため、レンズ１０３に沿って図示矢印方向に流れる空気が堰き止められて効率良く灯室１０４内の対流が十分行われないために結露によるレンズ１０３の曇りが発生する可能性があった。
【０００７】
本発明は上記問題に鑑みてなされたものであり、その目的とする処は、灯室内の対流を十分行って結露によるレンズの曇りを抑制することができる車両用灯具を提供することにある。
【課題を解決するための手段】
【０００８】
上記目的を達成するため、請求項１記載の発明は、ハウジングとその開口部を覆うレンズによって画成される灯室内に少なくとも光源とリフレクタ及びエクステンションを収容して成る車両用灯具において、前記レンズと前記エクステンションとの間に形成された第１の通路と、前記リフレクタと前記ハウジングとの間に形成された第２の通路と、を備え、前記第１の通路には、前記エクステンションの切欠きによる開口部を形成し、前記第１の通路と前記第２の通路を車両前後方向に互いに連通して形成したことを特徴とする。
【０００９】
請求項２記載の発明は、請求項１記載の発明において、前記通路の一部に狭小部を設けたことを特徴とする。
【発明の効果】
【００１０】
請求項１記載の発明によれば、灯室内の車両下側部分に、レンズとエクステンション及びハウジングとリフレクタとの間に互いに連通する通路を車両前後方向に形成したため、点灯によって暖まった灯室内の空気の流通が容易になり、これによって灯室内の対流が効率良く行われる。このため、灯室内の温度上昇と共に温度分布が平準化し、レンズ内面の結露による曇りの発生が効果的に抑制される。
【００１１】
請求項２記載の発明によれば、通路の一部に狭小部を設けたため、灯室内の空気の流れが狭小部において絞られ、ベンチュリ効果によってその流速が高められて灯室内の対流が一層効率良くなされ、レンズ内面の結露による曇りの発生が一層効果的に抑制される。
【図面の簡単な説明】
【００１２】
【図１】本発明に係る車両用灯具の破断側面図である。
【図２】従来の車両用灯具の破断側面図である。
【発明を実施するための形態】
【００１３】
以下に本発明の実施の形態を添付図面に基づいて説明する。
【００１４】
図１は本発明に係る車両用灯具の一形態としてのヘッドランプの破断側面図であり、図示のヘッドランプ１は、不図示の車両前端の左右に設けられるものであって、ハウジング２とその開口部を覆うレンズ３によって画成される灯室４内に光源であるバルブ５とリフレクタ６及びエクステンション７を収容して構成されている。尚、ヘッドランプ１はその基本構成が左右で同じであるため、以下、一方のヘッドランプ１についてのみ図示及び説明する。
【００１５】
上記ハウジング２は樹脂にて一体成形されており、その開口部の周縁には断面横Ｕ字状の嵌合凹部２ａが形成されている。尚、図示しないが、ハウジング２の背面には排気孔と通気孔が形成されており、灯室４は排気孔と通気孔を介して外気に連通している。
【００１６】
又、前記レンズ３は、透明樹脂によって一体成形されており、その周縁に車両後方に向かって一体に突出する凸部３ａはハウジング２の前記嵌合凹部２ａに車両前方（図１の左方）から嵌め込まれ、その嵌め込み部がホットメルト８によって接着されることによって該レンズ３がハウジング２に接合一体化されている。
【００１７】
前記リフレクタ６は、前記バルブ５から出射する光を車両前方へと反射させるものであって、その円弧状の反射面にはアルミ蒸着等の反射処理が施されて高い反射率が確保されている。又、前記エクステンション７は、ハウジング２とリフレクタ６との間の隙間を覆って当該ヘッドランプ１の意匠性を高めるための部品であって、樹脂にて一体成形されている。
【００１８】
ところで、本実施の形態に係るヘッドランプ１の灯室４内の車両下側部分においては、エクステンション７は略水平にストレート状に成形され、従来のようにレンズ３の内面形状に沿った形状を有していない。このため、エクステンション７とレンズ３との間には所定の隙間が形成されており、この隙間が車両前後方向に沿う通路９を構成している。尚、エクステンシュン７のレンズ３側前縁には、灯具意匠を損なわない程度の複数の切欠きが形成されている。
【００１９】
又、灯室４内の車両下側部分においては、リフレクタ６の外周部はハウジング２の内面に沿って略平行にストレート状に成形されており、このリフレクタ６の外周部とハウジング２の内面との間には所定の隙間が形成されており、この隙間が車両前後方向に沿う通路１０を構成している。そして、この通路１０と前記通路９とは車両前後方向において互いに連通している。そして、リフレクタ６の前端はハウジング２側に延在し、この部分が通路１０の狭小部を構成している。尚、通路１０の狭小部はハウジング２側の変形により構成することも可能である。例えば、図１の通路１０の後部に破線で示すように、ハウジング２をリフレクタ６側に近づける構造とすることも実現可能である。通路１０の狭小部は前端、後端に限らず、通路１０の何れの位置であっても良い。
【００２０】
而して、夜間においてヘッドランプ１のバルブ５が点灯すると、該バルブ５が発熱し、その熱によって加熱されて温度の高くなった空気は灯室４内を対流して図示矢印方向の流れを形成する。そして、レンズ３の内面に沿って流れる空気の一部はエクステンション７を切り欠くことのよって通路９への流れが促進される。又、空気は、連通するハウジング２とリフレクタ６間の通路１０の狭小部を通過するときに絞られてベンチュリ効果によって流速が高められる。そして、この流速が高められた高温の空気の一部は通路１０を図示印方向（車両後方）に向かって流れ、対流が更に促進される。
【００２１】
以上のように、本実施の形態に係るヘッドランプ１においては、灯室４内の車両下側部分に、レンズ３とエクステンション７及びハウジング２とリフレクタ６との間に互いに連通する通路９，１０を車両前後方向に形成したため、バルブ５の点灯によって暖まった灯室４内の空気がレンズ３側へ効率良く対流し、曇りの発生が効果的に抑制される。
【００２２】
又、本実施の形態では、エクステンション７に切欠きを形成することによって通路９の空気の流通を促進し、又、灯室４内の空気の流れが通路１０の狭小部において絞られ、ベンチュリ効果によってその流速が高められて灯室４内の対流が一層効率良くなされ、レンズ３の内面の結露による曇りの発生が一層効果的に抑制されるという効果が得られる。
【００２３】
尚、以上は本発明をヘッドランプに対して適用した形態について説明したが、本発明は、ヘッドランプ以外の他の任意の車両用灯具に対しても同様に適用可能であることは勿論である。
【符号の説明】
【００２４】
１        ヘッドランプ（車両用灯具）
２        ハウジング
２ａ      ハウジングの嵌合凹部
３        レンズ
３ａ      レンズの凸部
４        灯室
５        バルブ（光源）
６        リフレクタ
７        エクステンション
８        ホットメルト
９        第１の通路
１０      第２の通路
【図１】
2012155878.tif 000003
【図２】
2012155878.tif 000004